(57)【特許請求の範囲】
【請求項１】
外部接続部を除いた部分の少なくとも一部がインサート成形により成形樹脂基板内に固定される金属薄板からなる電子部品用端子であって、上記外部接続部から成形樹脂基板内にインサート成形により固定される部分まで含めて連続した補強手段を設けてなり、その補強手段が山形リブで、上記リブと成形金型の合わせ面に発生する成形バリにより根元部の応力の集中が緩和され機械的強度が向上されている電子部品用端子。
【請求項２】
外部接続部と異なる側の一端に弾性接点部を一体で設けた請求項１記載の電子部品用端子。
【請求項３】
外部接続部の先端から中間部までに第一の補強手段が設けられ、この第一の補強手段と一定の範囲重複して中間部から成形樹脂基板内にインサート成形により固定される部分まで第二の補強手段としてなる山形リブが設けられ、その第二の補強手段の上記リブと成形金型の合わせ面に発生する成形バリにより根元部の応力の集中が緩和され機械的強度が向上されている請求項１記載の電子部品用端子。
【発明の詳細な説明】
【０００１】
【発明の属する技術分野】
本発明は、プリント基板に半田付けして取り付けられるスイッチ、ボリューム等の電子部品に用いられる電子部品用端子に関するものである。
【０００２】
【従来の技術】
従来の技術を図５のプリント基板取付用の接点式エンコーダに用いられる電子部品用端子を例として説明する。
【０００３】
図５は、接点式エンコーダの端子付基板部を示す斜視図であり、３１Ａ，３１Ｂ，３１Ｃは電気信号発生用の弾性を有する接点刷子で、端子３２Ａ，３２Ｂ，３２Ｃとそれぞれ一体の金属薄板で形成され、電気的導通を保ちつつ、基板３３にインサート成形により固定されている。
【０００４】
この接点刷子３１Ａ，３１Ｂ，３１Ｃは弾性と導電性を必要とするため、１２０μｍ程度の弾性を有する金属製薄板で構成され、端子３２Ａ，３２Ｂ，３２Ｃ先端のプリント基板の孔に挿入される細幅直線状脚部３４Ａ，３４Ｂ，３４Ｃは強度的に弱くなるので、補強用のリブ３５Ａ，３５Ｂ，３５Ｃを設けて補強しているものであった。
【０００５】
【発明が解決しようとする課題】
しかしながら、近年上記従来の方式の接点式エンコーダにおいて、外形寸法の小型化を実現するため、電気信号用接点刷子３１Ａ，３１Ｂ，３１Ｃのアーム長さを短くする必要が生まれ、短いアームで所定の刷子圧力を得るために、さらに材料を薄くして対応しているのが実態であるが、この結果、補強用のリブを設けていない端子の根元部３６Ａ，３６Ｂ，３６Ｃの機械的強度が弱くなり、輸送中や取扱い中に変形しやすいという問題が発生していた。
【０００６】
本発明はこのような従来の課題を解決しようとするものであり、小型・薄型化を図っても機械的強度を保証することができる電子部品用端子を提供することを目的とするものである。
【０００７】
【課題を解決するための手段】
上記課題を解決するために本発明の電子部品用端子は、外部接続部となる先端の細幅直線状脚部から成形基板内部にインサート成形により固定される部分まで含めて連続した補強手段を設けてなり、その補強手段が山形リブで、上記リブと成形金型の合わせ面に発生する成形バリにより根元部の応力の集中が緩和され機械的強度が向上されているものとするものである。
【０００８】
この本発明により、プリント基板取付用の電子部品用端子の機械的強度を向上することが可能となる。
【０００９】
【発明の実施の形態】
本発明の請求項１に記載の発明は、外部接続部を除いた部分の少なくとも一部がインサート成形により成形樹脂基板内に固定される金属薄板からなる電子部品用端子であって、上記外部接続部から成形樹脂基板内にインサート成形により固定される部分まで含めて連続した補強手段を設けてなり、その補強手段が山形リブで、上記リブと成形金型の合わせ面に発生する成形バリにより根元部の応力の集中が緩和され機械的強度が向上されている構成としたものである。これによれば、金属薄板からなる電子部品用端子全体の機械的強度が大幅に向上するとともに、成形基板内部まで連続して設けられた補強手段の部分から発生する成形バリによって根元部の応力の緩和が図れ機械的強度がさらに向上したものにできるという作用を有する。
【００１０】
請求項２に記載の発明は、請求項１記載の発明において、外部接続部と異なる側の一端に弾性接点部を一体で設けた構成としたものであり、構成部品が削減でき、また弾性接点部と端子の接続を行う必要がないため組立ても容易であり、特に小型の電子部品に好適であるという作用を有する。
【００１３】
請求項３に記載の発明は、請求項１記載の発明において、外部接続部の先端から中間部までに第一の補強手段が設けられ、この第一の補強手段と一定の範囲重複して中間部から成形樹脂基板内にインサート成形により固定される部分まで第二の補強手段としてなる山形リブが設けられ、その第二の補強手段の上記リブと成形金型の合わせ面に発生する成形バリにより根元部の応力の集中が緩和され機械的強度が向上されている構成としたものであり、請求項１と同様の作用を有するとともに、第二の補強手段部に発生する成形バリは成形基板内にインサート成形により固定される部分から中間部までの途中で進行が抑えられ、プリント基板取付用の外部接続部の先端部までは達しないという作用を有する。
【００１４】
以下、本発明の実施の形態について、図１から図４を用いて説明する。
（実施の形態１）
図１はプリント基板取付用の接点式エンコーダの端子付基板部を示す斜視図であり、同図において１０Ａ，１０Ｂ，１０Ｃは電気信号発生用の弾性を有する接点刷子で、端子１１Ａ，１１Ｂ，１１Ｃとそれぞれ一体の金属薄板で形成され、電気的導通を保ちつつ、成形基板１２にインサート成形により固定されている。
【００１５】
端子１１Ａ，１１Ｂ，１１Ｃ先端のプリント基板の孔に挿入される細幅直線状脚部１３Ａ，１３Ｂ，１３Ｃには、端子が変形しにくいように山形リブ１４Ａ，１４Ｂ，１４Ｃが全域に設けられ、この山形リブ１４Ａ，１４Ｂ，１４Ｃは、さらに広幅平面部１５Ａ，１５Ｂ，１５Ｃの折り曲げ部を含む全域と成形基板１２の内部まで連続して設けられている。
【００１６】
この山形リブ１４Ａ，１４Ｂ，１４Ｃが細幅直線状脚部１３Ａ，１３Ｂ，１３Ｃのみならず広幅平面部１５Ａ，１５Ｂ，１５Ｃの全域に設けられていることにより、金属薄板からなる電子部品用端子の機械的強度が大幅に向上し、さらにこの電子部品用端子をインサート成形する際に山形リブ１４Ａ，１４Ｂ，１４Ｃと成形金型の合わせ面から多少の成形バリが発生するが、この成形バリが端子根元部の応力の集中を緩和し、機械的強度が向上する。
【００１７】
（実施の形態２）
図２、図３は各々接点式エンコーダの当該部分の補強手段として、丸形リブ１６Ａ，１６Ｂ，１６Ｃ、台形リブ１７Ａ，１７Ｂ，１７Ｃを用いた実施の形態を示したものであり、これらの実施の形態においても、上記実施の形態１と同様の効果が得られるのは明らかである。
【００１８】
さらに、丸形リブ１６Ａ，１６Ｂ，１６Ｃ、台形リブ１７Ａ，１７Ｂ，１７Ｃに合わせた成形金型の製作が容易であることから、丸形リブ１６Ａ，１６Ｂ，１６Ｃ、台形リブ１７Ａ，１７Ｂ，１７Ｃでは成形バリが発生しにくいという効果も得られる。
【００１９】
（実施の形態３）
図４は接点式エンコーダの当該部分の補強手段の他の実施の形態について示したものであり、同図において第一のリブ１８Ａ，１８Ｂ，１８Ｃは、細幅直線状脚部１３Ａ，１３Ｂ，１３Ｃの全域と広幅平面部１５Ａ，１５Ｂ，１５Ｃの途中まで設けられており、さらに別の第二のリブ１９Ａ，１９Ｂ，１９Ｃが成形基板１２の内部の位置から第一のリブ１８Ａ，１８Ｂ，１８Ｃの終端より一定の範囲重複する位置まで設けられている。
【００２０】
この構成により、前述の如く金属薄板からなる電子部品用端子の機械的強度が大幅に向上するだけでなく、第二のリブ１９Ａ，１９Ｂ，１９Ｃと成形金型の合わせ面から第二のリブ１９Ａ，１９Ｂ，１９Ｃの凹みに沿って発生しやすい成形バリを、広幅平面部１５Ａ，１５Ｂ，１５Ｃで確実に抑え、プリント基板取付用の細幅直線状脚部１３Ａ，１３Ｂ，１３Ｃまでは達しないという効果もある。
【００２１】
【発明の効果】
以上のように本発明によれば、金属薄板からなる変形しやすい電子部品用端子に、外部接続部の先端から成形樹脂基板内にインサート成形により固定される部分まで含めて連続した補強手段としての山形リブを設けることにより、電子部品用端子全域にわたって機械的強度を向上できるうえ、リブと成形金型の合わせ面に発生する成形バリにより根元部の応力の集中を緩和できるため、端子の変形強度を大幅に向上させた電子部品用端子を提供できるものである。
【図面の簡単な説明】
【図１】本発明の第一の実施の形態による電子部品用端子を用いた端子付基板部を示す斜視図
【図２】本発明の第二の実施の形態による補強手段を丸形リブで構成した端子付基板部を示す斜視図
【図３】本発明の第二の実施の形態による補強手段を台形リブで構成した端子付基板部を示す斜視図
【図４】本発明の第三の実施の形態による電子部品用端子を用いた端子付基板部を示す斜視図
【図５】従来の接点式エンコーダの端子付基板部を示す斜視図
【符号の説明】
１０Ａ，１０Ｂ，１０Ｃ  接点刷子
１１Ａ，１１Ｂ，１１Ｃ  端子
１２  成形基板
１３Ａ，１３Ｂ，１３Ｃ  細幅直線状脚部
１４Ａ，１４Ｂ，１４Ｃ  山形リブ
１５Ａ，１５Ｂ，１５Ｃ  広幅平面部
１６Ａ，１６Ｂ，１６Ｃ  丸形リブ
１７Ａ，１７Ｂ，１７Ｃ  台形リブ
１８Ａ，１８Ｂ，１８Ｃ  第一のリブ
１９Ａ，１９Ｂ，１９Ｃ  第二のリブ
【図１】
0003972386.tif 000002
【図２】
0003972386.tif 000003
【図３】
0003972386.tif 000004
【図４】
0003972386.tif 000005
【図５】
0003972386.tif 000006